(57)【特許請求の範囲】
【請求項１】
上下両端に第１リップおよび第２リップを有するリップ溝形鋼で形成された根太を補強するための根太補強金物であって、
底板、
前記底板の対向する１対の端縁から立ち上げられるかつ前記第１リップおよび前記第２リップ間の間隔と同じかほぼ同じ間隔を有して形成される第１側板および第２側板、および
前記第１側板および前記第２側板のそれぞれの立ち上がり先端縁から連続的に形成されるかつ前記第１リップおよび前記第２リップにそれぞれ当接される第１係止部および第２係止部を備える、根太補強金物。
【請求項２】
前記底板の他の１対の端縁から立ち上げられる第３側板および第４側板をさらに備える、請求項１記載の根太補強金物。
【請求項３】
前記第１係止部および前記第２係止部はそれぞれ前記第１側板および前記第２側板の前記先端縁から折り返されて形成される、請求項１または２記載の根太補強金物。
【発明の詳細な説明】
【０００１】
【産業上の利用分野】
この発明は根太補強金物に関し、特にたとえば、スチールハウスのような建造物に適用されるリップ溝形鋼で形成された根太を補強する、根太補強金物に関する。
【０００２】
【従来の技術】
図５に示す従来の根太補強金物１は、平板状の鋼板により構成される。リップ溝形鋼で形成された根太２の両端は、図示しないクリップアングルを介して胴差し３にドリリングタッピングねじ４によりねじ止めされる。また、根太２の上フランジ５は、二点鎖線で示される床合板６にねじ止めされている。この根太補強金物１は、根太２の上リップ７および下リップ８にねじ止めされ、根太２を補強していた。具体的には、根太２にたわみやねじれ等が発生するのを防止していた。
【０００３】
【発明が解決しようとする課題】
しかし、従来技術では、根太補強金物１は平板状の鋼板であるため、根太２にねじ止めする際に、クランプ等の固定治具を用いて根太補強金物１を仮止めしなければならず、作業が面倒であり、現場での施工性が悪かった。
【０００４】
それゆえに、この発明の主たる目的は、簡単に取り付けることができる、根太補強金物を提供することである。
【０００５】
【課題を解決するための手段】
この発明は、上下両端に第１リップおよび第２リップを有するリップ溝形鋼で形成された根太を補強するための根太補強金物であって、底板、底板の対向する１対の端縁から立ち上げられるかつ第１リップおよび第２リップ間の間隔と同じかほぼ同じ間隔を有して形成される第１側板および第２側板、および第１側板および第２側板のそれぞれの立ち上がり先端縁から連続的に形成されるかつ第１リップおよび第２リップにそれぞれ当接される第１係止部および第２係止部を備える、根太補強金物である。
【０００６】
【作用】
第１側板および第２側板が根太に設けられた第１リップと第２リップとの間（溝内）に嵌まり、この根太補強金物が第１リップと第２リップとによって挟持される。このとき、第１係止部および第２係止部が第１リップおよび第２リップに当接される。そして、第１係止部および第２係止部と第１リップおよび第２リップを、ドリリングタッピングねじで、ねじ止めすることによって、金物が根太に取り付けられる。
【０００７】
また、第３側板および第４側板を、さらに底板の他の１対の端縁から立ち上げて設けるようにしてもよい。この場合には、金物自体の強度が上がるとともに補強度を高めることができる。
【０００８】
【発明の効果】
この発明によれば、根太のリップ間で挟持して仮止めできるので、クランプ等の固定治具を用いて仮止めする必要がなく、したがって、現場での施工性が向上する。
【０００９】
この発明の上述の目的，その他の目的，特徴および利点は、図面を参照して行う以下の実施例の詳細な説明から一層明らかとなろう。
【００１０】
【実施例】
図１を参照して、この実施例の根太補強金物１０は、図２に示すようなスチールハウス１００に適用されるリップ溝形鋼で形成された根太１２を補強するものであり、矩形状の底板１４を含む。
【００１１】
底板１４には、対向する１対の端縁から立ち上がって第１側板１６および第２側板１８が形成され、他の１対の端縁から立ち上がって第３側板２０および第４側板２２が形成される。第１側板１６および第２側板１８の外面の間隔は、根太１２の第１リップ（上リップ）２４および第２リップ（下リップ）２６間の間隔と同じかほぼ同じに設定される。第１側板１６および第２側板１８には、それぞれの立ち上がり先端縁から折り返して、第１係止部２８および第２係止部３０が連続的に形成される。
【００１２】
この根太補強金物１０を製造する際には、１枚の鋼板を準備する。ただし、この鋼板は、スチールハウス１００を構成するリップ溝形鋼および溝形鋼等の各構造部材と同様に、０．８〜１．６ｍｍ程度の厚みを有するものである。次に、この鋼板を、根太補強金物１０が展開された形状すなわち底板１４，第１側板１６，第２側板１８，第３側板２０，第４側板２２，第１係止部２８および第２係止部３０が含まれる所定の形状に切断する。続いて、所定形状にされた鋼板を、底板１４の各端縁に相当する部分において、底板１４にほぼ直角になるように曲げ加工する（立ち上げる）。また、第１側板１６および第２側板１８の各立ち上がり先端縁に相当する部分おいて、第１側板１６および第２側板１８にほぼ直角になるように、かつ、第１側板１６および第２側板１８を立ち上げた方向とは逆方向に曲げ加工する（折り返す）。そして、第１側板１６，第２側板１８，第３側板１８および第４側板２０の立ち上がり側端縁を溶接することによりこれらを接合する。このとき、この根太補強金物１０の内面Ｐ側から溶接し、外面Ｑ側に接合部の填充材がはみ出さないようにする必要がある。
【００１３】
なお、この根太補強金物１０を製造する方法は、上述のものに限定されない。たとえば、１枚の鋼板を曲げ加工して、底板１４，第１側板１６，第２側板１８，第１係止部２８および第２係止部３０を形成し、これに別途準備した平板状の第３側板２０および第４側板２２を溶接するようにしてもよい。また、所定形状の型を用いて１枚の鋼板をプレス成形することにより製造してもよい。
【００１４】
図２から分かるように、根太１２は、たとえばスチールハウス１００の上階と下階の境界部分において、一定間隔を隔てて複数設けられる。根太１２の両端部は、図示しないクリップアングルを介してドリリングタッピングねじ（以下、「ねじ」という。）３２により胴差し３４に固着される。また、根太１２の上フランジ３６は、二点鎖線で示される上階の床合板３８にねじ止めされる。なお、胴差し３４は、下階に設けられた複数の柱４０の上端部を繋ぐ上枠４２の上面に設置されている。
【００１５】
この根太補強金物１０を根太１２に取り付ける際には、第１側板１６および第２側板１８が根太１２の上フランジ３６および下フランジ４４に平行になるようにして、外面Ｑ側から根太１２の溝内に差し込む。すると、第１側板１６および第２側板１８が根太１２の上リップ２４と下リップ２６との間に嵌まり、この根太補強金物１０が上リップ２４と下リップ２６とによって挟持される。このとき、第１係止部２８および第２係止部３０が上リップ２４および下リップ２６に当接される。そして、第１係止部２８および第２係止部３０と上リップ２４および下リップ２６とをねじ３２で固着する。
【００１６】
根太補強金物１０が取り付けられた根太１２では、図３からよく分かるように、この根太補強金物１０によって、根太１２の開放されていたリップ間が閉塞されて上リップ２４が支持される。したがって、曲げ剛性，ねじり剛性および座屈強度等が補強されるので、根太１２に上階の床合板３２から圧縮力が作用しても、たわみ，ねじれおよび座屈等が発生しにくくなる。
【００１７】
この実施例によれば、根太１２のリップ間で挟持して仮止めできるので、クランプ等の固定治具を用いて仮止めする必要がない。すなわち、簡単に取り付けることができる。したがって、現場での施工性を向上できる。
【００１８】
また、第３側板２０および第４側板２２が設けられるので、根太補強金物１０自体の強度が上がるとともに、補強度を高めることができる。なお、場合によっては、この第３側板２０および第４側板２２は設けられなくてもよい。
【００１９】
なお、上述の実施例では、第１側板１６および第２側板１８の立ち上がり先端縁間が開放されているが、図４に示す他の実施例の根太補強金物１０のように、この間は閉塞されてもよい。
【００２０】
この根太補強金物１０では、図１実施例と異なり、第１側板１６および第２側板１８の立ち上がり先端縁から、それぞれ第１接続部４６および第２接続部４８が互いに向き合うように立ち上がって形成される。そして、この第１接続部４６および第２接続部４８には、天板５０がねじ３２により接合される。また、第１側板１６および第２側板１８から突出される天板５０の第１端部５２および第２端部５４が、図１実施例の第１係止部２８および第２係止部３０に相当し、根太１２の上リップ２４および下リップ２６に当接される。
【００２１】
この根太補強金物１０を製造する際には、２枚の鋼板を準備し、まず１の鋼板を曲げ加工することにより底板１４，第１側板１６，第２側板１８，第１接続部４６および第２接続部４８を形成する。そして、天板５０となる他の鋼板を第１接続部４６および第２接続部４８にねじ３２により固着する。このように、この根太補強金物１０は、溶接することなく製造できる。
【００２２】
この実施例によっても、根太１２のリップ間で挟持して仮止めできるので、簡単に取り付けることができる。したがって、現場での施工性が向上する。また、天板５０により第１側板１６と第２側板１８との間が閉塞されて第１側板１６が支持されるので、この根太補強金物１０自体の強度が上がるとともに、補強度を高めることができる。
【図面の簡単な説明】
【図１】この発明の一実施例を示す図解図である。
【図２】図１実施例の根太補強金物の使用形態を示す図解図である。
【図３】図１実施例の根太補強金物を根太に取り付けた状態を示す図解図である。
【図４】この発明の他の実施例を示す図解図である。
【図５】従来技術を示す図解図である。
【符号の説明】
１０  …根太補強金物
１２  …根太
１４  …底板
１６  …第１側板
１８  …第２側板
２０  …第３側板
２２  …第４側板
２４  …第１リップ（上リップ）
２６  …第２リップ（下リップ）
２８  …第１係止部
３０  …第２係止部
５０  …天板
【図１】
0003645171.tif 000002
【図２】
0003645171.tif 000003
【図３】
0003645171.tif 000004
【図４】
0003645171.tif 000005
【図５】
0003645171.tif 000006